(57)【要約】【課題】回路構成の複雑化を抑制しつつ、イメージ妨害を安定的に除去できるようにする。【解決手段】チャンネル選択操作部１６は、選択された放送チャンネルを局部発振器１３に伝え、局部発振器１３は、イメージ周波数が放送チャンネル間の未使用の帯域内に収まるようにしながら、その放送チャンネルの受信中心周波数が中間周波数に変換されるように局部発振信号の局部発振周波数を設定することにより、受信信号を中間周波信号に変換する時にイメージ周波数が放送チャンネルの使用帯域に来ないようにして、イメージ妨害を除去する。【選択図】図１
2008072739.tif 000002
【特許請求の範囲】
【請求項１】
イメージ周波数が、無線通信または放送に使用されていない周波数帯域内に収まるように局部発振周波数が設定された局部発振信号を生成する局部発振器と、
前記局部発振信号に受信信号を混合することにより、前記受信信号を中間周波信号に変換する混合器と、
前記中間周波信号のフィルタリングを行う中間周波フィルタとを備えることを特徴とする情報受信装置。
【請求項２】
イメージ周波数が放送チャンネル間の未使用の周波数帯域内に収まるように局部発振周波数が設定された局部発振信号を生成する局部発振器と、
前記局部発振信号に受信信号を混合することにより、前記受信信号を中間周波信号に変換する混合器と、
前記中間周波信号のフィルタリングを行う中間周波フィルタとを備えることを特徴とする情報受信装置。
【請求項３】
イメージ周波数が放送チャンネル間の未使用の周波数帯域内に収まるように局部発振周波数が設定された局部発振信号を生成する局部発振器と、
前記局部発振信号に受信信号を混合することにより、前記受信信号を中間周波信号に変換する混合器と、
前記中間周波信号のフィルタリングを行う中間周波フィルタと、
前記イメージ周波数が放送信号の帯域内に収まるように、前記局部発振器の局部発振周波数を、上側局部発振周波数と下側局部発振周波数とで互いに切り替える発振周波数切替手段とを備えることを特徴とする情報受信装置。
【請求項４】
前記発振周波数切替手段は、放送受信周波数帯域のうち低周波領域受信時に前記局部発振器の局部発振周波数として下側局部発振周波数を使用している場合において、イメージ周波数が放送信号帯域外になる場合には、前記局部発振器の局部発振周波数を上側局部発振周波数に切り替え、放送受信周波数帯域のうち高周波領域受信時に前記局部発振器の局部発振周波数として上側局部発振周波数を使用している場合において、イメージ周波数が放送信号帯域外になる場合には、前記局部発振器の局部発振周波数を下側局部発振周波数に切り替えることを特徴とする請求項３に記載の情報受信装置。
【請求項５】
イメージ周波数が、無線通信または放送に使用されていない周波数帯域内に収まるように局部発振周波数が設定された第１局部発振信号を生成する第１局部発振器と、
前記第１局部発振信号に受信信号を混合することにより、前記受信信号を第１中間周波信号に変換する第１混合器と、
前記第１中間周波信号のフィルタリングを行う第１中間周波フィルタと、
第２局部発振信号を生成する第２局部発振器と、
前記第２局部発振信号を前記第１中間周波信号に混合することにより、前記第１中間周波信号を第２中間周波信号に変換する第２混合器と、
前記第２中間周波信号のフィルタリングを行う第２中間周波フィルタとを備えることを特徴とする情報受信装置。
【請求項６】
イメージ周波数が放送チャンネル間の未使用の周波数帯域内に収まるように局部発振周波数が設定された第１局部発振信号を生成する第１局部発振器と、
前記第１局部発振信号に受信信号を混合することにより、前記受信信号を第１中間周波信号に変換する第１混合器と、
前記第１中間周波信号のフィルタリングを行う第１中間周波フィルタと、
第２局部発振信号を生成する第２局部発振器と、
前記第２局部発振信号を前記第１中間周波信号に混合することにより、前記第１中間周波信号を第２中間周波信号に変換する第２混合器と、
前記第２中間周波信号のフィルタリングを行う第２中間周波フィルタとを備えることを特徴とする情報受信装置。
【請求項７】
イメージ周波数が放送チャンネル間の未使用の周波数帯域内に収まるように局部発振周波数が設定された第１局部発振信号を生成する第１局部発振器と、
前記第１局部発振信号に受信信号を混合することにより、前記受信信号を第１中間周波信号に変換する第１混合器と、
前記第１中間周波信号のフィルタリングを行う第１中間周波フィルタと、
第２局部発振信号を生成する第２局部発振器と、
前記第２局部発振信号を前記第１中間周波信号に混合することにより、前記第１中間周波信号を第２中間周波信号に変換する第２混合器と、
前記第２中間周波信号のフィルタリングを行う第２中間周波フィルタと、
前記イメージ周波数が放送信号の帯域内に収まるように、前記第１局部発振器の局部発振周波数を、上側局部発振周波数と下側局部発振周波数とで互いに切り替える発振周波数切替手段とを備えることを特徴とする情報受信装置。
【請求項８】
前記発振周波数切替手段は、放送受信周波数帯域のうち低周波領域受信時に前記第１局部発振器の局部発振周波数として下側局部発振周波数を使用している場合において、イメージ周波数が放送信号帯域外になる場合には、前記第１局部発振器の局部発振周波数を上側局部発振周波数に切り替え、放送受信周波数帯域のうち高周波領域受信時に前記第１局部発振器の局部発振周波数として上側局部発振周波数を使用している場合において、イメージ周波数が放送信号帯域外になる場合には、前記第１局部発振器の局部発振周波数を下側局部発振周波数に切り替えることを特徴とする請求項７に記載の情報受信装置。
【請求項９】
前記第１中間周波フィルタはＳＡＷフィルタであり、前記第１中間周波信号の周波数が３０〜６５ＭＨｚの範囲内に収まるように前記第１局部発振信号の局部発振周波数を設定することを特徴とする請求項５〜８の何れか一項に記載の情報受信装置。
【請求項１０】
選局操作を行うための選局操作部と、局部発振信号源と、前記局部発振信号源から供給される局部発振信号に受信信号を混合して中間周波信号を生成する混合器とを備えたスーパーヘテロダイン方式の情報受信装置であって、前記局部発振信号源は、局部発振信号の周波数に対応するイメージ周波数が送信電力の相対的に小さい局の送信電波の周波数帯域に属するように前記選局操作部における選局結果に依拠して上側局部発振周波数と下側局部発振周波数とが切り替わるように構成されていることを特徴とする情報受信装置。
【請求項１１】
前記局部発振信号源は、前記選局操作部における選局結果に応じて、公開された放送局の送信周波数と送信電力とのデータを参照して前記上側局部発振周波数と下側局部発振周波数との切り替えを制御するように構成されていることを特徴とする請求項１０に記載の情報受信装置。
【請求項１２】
前記スーパーヘテロダイン方式の情報受信装置は、ダブルスーパーヘテロダイン方式を採るものであり、前記局部発振信号源は最前段の局部発振信号源であり、且つ、前記混合器は当該最前段の局部発振信号源に対応するものであることを特徴とする請求項１０に記載の情報受信装置。
【請求項１３】
選局操作を行うための選局操作部と、局部発振信号源と、前記局部発振信号源から供給される局部発振信号に受信信号を混合して中間周波信号を生成する混合器とを備えたスーパーヘテロダイン方式の情報受信装置であって、前記局部発振信号源は、局部発振信号の周波数に対応するイメージ周波数が送信電力の相対的に小さい局の送信電波の周波数帯域に属するように前記選局操作部における選局結果に依拠して当該局部発振信号の周波数を変更可能に構成されていることを特徴とする情報受信装置。
【請求項１４】
前記局部発振信号源は、前記選局操作部における選局結果に応じて、公開された放送局の送信周波数と送信電力とのデータを参照して当該局部発振信号の周波数を制御するように構成されていることを特徴とする請求項１３に記載の情報受信装置。
【請求項１５】
前記スーパーヘテロダイン方式の情報受信装置は、ダブルスーパーヘテロダイン方式を採るものであり、前記局部発振信号源は最前段の局部発振信号源であり、且つ、前記混合器は当該最前段の局部発振信号源に対応するものであることを特徴とする請求項１３に記載の情報受信装置。
【請求項１６】
局部発振信号に受信信号を混合して中間周波信号を生成するスーパーヘテロダイン方式による情報受信方法であって、前記局部発振信号の周波数に対応するイメージ周波数が送信電力の相対的に小さい局の送信電波の周波数帯域に属するように、選局結果に応じて、公開された放送局の送信周波数と送信電力とのデータを参照して、上側局部発振周波数と下側局部発振周波数とを切り替えることを特徴とする情報受信方法。
【請求項１７】
局部発振信号に受信信号を混合して中間周波信号を生成するスーパーヘテロダイン方式による情報受信方法であって、前記局部発振信号の周波数に対応するイメージ周波数が送信電力の相対的に小さい局の送信電波の周波数帯域に属するように、選局結果に応じて、公開された放送局の送信周波数と送信電力とのデータを参照して、前記局部発振信号の周波数を制御することを特徴とする情報受信方法。
【発明の詳細な説明】
【技術分野】
【０００１】
本発明は、例えば、デジタルテレビジョン放送、その他の情報を受信する情報受信装置および情報受信方法に関し、特に、受信した搬送波に対して局部発振信号源から供給される局部発振信号を混合することによって周波数変換処理を行う機能部を備えた情報受信装置および情報受信方法に適用して有効な情報受信装置および情報受信方法に関する。
【背景技術】
【０００２】
ＩＳＤＢ−Ｔ（Integrated Services Digital Broadcasting −Terrestrial：地上デジタル放送）では、各放送のチャンネル帯域を複数（１４）のセグメントに分割し該複数のセグメントのうちの１つのセグメントを各放送チャンネル帯域間のガードバンド（各チャンネル間の無信号帯域部）として割当てている。また、これら複数のセグメントのうちガードバンドを除く１３セグメントのうちの部分的セグメント（１セグメント）を用いて行う放送（所謂、ワンセグ（登録商標））も普及の兆しを見せている。
【０００３】
１セグメントデジタル放送対応の携帯型受信機においては、小型・軽量・低コスト化を図るために、一般に、シンングルスーパーＬＯＷ-ＩＦアーキテクチャーが用いられる。ここで、受信信号の周波数変換を行う時のイメージ妨害を除去するために、イメージキャンセルタイプの混合器を使用することが行われている。
また、ヘテロダイン方式の情報受信装置において、中間周波数を低くした場合のイメージ妨害信号の影響を軽減するために、受信周波数毎に上側ヘテロダイン方式および下側ヘテロダイン方式のうち相対的にイメージ妨害の少ない方式に選択的に切り替えるといった技術も提案されている（例えば特許文献１参照）。
【０００４】
【特許文献１】特開２００３−７８４３２号公報
【発明の開示】
【発明が解決しようとする課題】
【０００５】
しかしながら、上述のイメージキャンセルタイプの混合器は、回路構成が複雑である上に、回路のバランスに高い精度が要求され、電源電圧の変動や温度変化に対して安定性を欠くといった問題があった。
また、特許文献１に提案された技術では、信号レベル検出器や比較器、切り替え器等々に関して部品点数が増大し、このため、小型軽量化が阻害され、更にはコストの増大を招くと共に、回路の複雑化に起因する信号伝搬の遅延要因の増加に伴なって装置全体としての受信動作に遅延が生じる恐れがあった。更に、上側ヘテロダイン方式および下側ヘテロダイン方式ともにイメージ妨害が強力な場合には、イメージ妨害の低減効果が得られないという懸念も残すことになる。
【０００６】
本発明は叙上のような状況に鑑みてなされたものであり、構成の簡素化が図られ、従って、小型軽量化とコストの低減が図られ、且つ、イメージ妨害を安定的に除去することが可能な情報受信装置および情報受信方法を提供することを目的としている。
【課題を解決するための手段】
【０００７】
上記課題を解決するべく、本願では次に列記するような技術を提案する。
（１）イメージ周波数が、無線通信または放送に使用されていない周波数帯域内に収まるように局部発振周波数が設定された局部発振信号を生成する局部発振器と、前記局部発振信号に受信信号を混合することにより、前記受信信号を中間周波信号に変換する混合器と、前記中間周波信号のフィルタリングを行う中間周波フィルタとを備えることを特徴とする情報受信装置。
【０００８】
上記（１）の情報受信装置では、受信信号を中間周波信号に変換するに際して、イメージ周波数が無線通信または放送の使用帯域内に入り込むことを効果的に回避することができる。即ち、局部発振周波数を単に調整することによってイメージ妨害を除去することが可能となり、イメージ妨害を除去するために、イメージキャンセルタイプの混合器を用いたり、受信周波数毎に上側ヘテロダイン方式および下側ヘテロダイン方式のうちのイメージ妨害の少ない方式に、ヘテロダイン方式を切り替えたりする必要がなくなることから、回路構成の複雑化を抑制しつつ、受信品質を向上させることができる。
【０００９】
（２）イメージ周波数が放送チャンネル間の未使用の周波数帯域内に収まるように局部発振周波数が設定された局部発振信号を生成する局部発振器と、前記局部発振信号に受信信号を混合することにより、前記受信信号を中間周波信号に変換する混合器と、前記中間周波信号のフィルタリングを行う中間周波フィルタとを備えることを特徴とする情報受信装置。
【００１０】
上記（２）の情報受信装置では、受信信号を中間周波信号に変換するに際して、イメージ周波数が放送チャンネルの使用帯域内に入り込むことを効果的に回避することができる。即ち、局部発振周波数を単に調整することによってイメージ妨害を除去することが可能となり、イメージ妨害を除去するために、イメージキャンセルタイプの混合器を用いたり、受信周波数毎に上側ヘテロダイン方式および下側ヘテロダイン方式のうちのイメージ妨害の少ない方式に、ヘテロダイン方式を切り替えたりする必要がなくなることから、回路構成の複雑化を抑制しつつ、受信品質を向上させることができる。
【００１１】
（３）イメージ周波数が放送チャンネル間の未使用の周波数帯域内に収まるように局部発振周波数が設定された局部発振信号を生成する局部発振器と、前記局部発振信号に受信信号を混合することにより、前記受信信号を中間周波信号に変換する混合器と、前記中間周波信号のフィルタリングを行う中間周波フィルタと、前記イメージ周波数が放送信号の帯域内に収まるように、前記局部発振器の局部発振周波数を、上側局部発振周波数と下側局部発振周波数とで互いに切り替える発振周波数切替手段とを備えることを特徴とする情報受信装置。
【００１２】
上記（３）の情報受信装置では、イメージ周波数が放送チャンネル間の未使用の帯域内に収まるように局部発振周波数が設定されることにより、テレビジョン放送の全ての放送チャンネルに渡ってイメージ妨害を効果的に除去することが可能となる。
【００１３】
（４）前記発振周波数切替手段は、放送受信周波数帯域のうち低周波領域受信時に前記局部発振器の局部発振周波数として下側局部発振周波数を使用している場合において、イメージ周波数が放送信号帯域外になる場合には、前記局部発振器の局部発振周波数を上側局部発振周波数に切り替え、放送受信周波数帯域のうち高周波領域受信時に前記局部発振器の局部発振周波数として上側局部発振周波数を使用している場合において、イメージ周波数が放送信号帯域外になる場合には、前記局部発振器の局部発振周波数を下側局部発振周波数に切り替えることを特徴とする（３）の情報受信装置。
【００１４】
上記（４）の情報受信装置では、（３）の情報受信装置において特に、全ての放送チャンネルの全てのイメージ周波数を効果的に放送信号の帯域内に収めることができる。このため、回路構成の複雑化を抑制しつつ、テレビジョン放送の全ての放送チャンネルに渡ってイメージ妨害を安定的に除去することが可能となり、小型軽量化を図りつつ、受信品質を向上させることができる。尚、上側局部発振周波数と下側局部発振周波数の切り替えが必要なチャンネルは、予め計算により決定できるため、信号レベル検出器や比較器等の新たな回路の付加は不要である。
【００１５】
（５）イメージ周波数が、無線通信または放送に使用されていない周波数帯域内に収まるように局部発振周波数が設定された第１局部発振信号を生成する第１局部発振器と、前記第１局部発振信号に受信信号を混合することにより、前記受信信号を第１中間周波信号に変換する第１混合器と、前記第１中間周波信号のフィルタリングを行う第１中間周波フィルタと、第２局部発振信号を生成する第２局部発振器と、前記第２局部発振信号を前記第１中間周波信号に混合することにより、前記第１中間周波信号を第２中間周波信号に変換する第２混合器と、前記第２中間周波信号のフィルタリングを行う第２中間周波フィルタとを備えることを特徴とする情報受信装置。
【００１６】
上記（５）の情報受信装置では、ダブルスーパーヘテロダイン方式を採り、局部発振周波数を単に調整することによってイメージ妨害を効果的に除去することが可能となり、小型軽量化を図りつつ、受信品質を向上させることができる。
【００１７】
（６）イメージ周波数が放送チャンネル間の未使用の周波数帯域内に収まるように局部発振周波数が設定された第１局部発振信号を生成する第１局部発振器と、前記第１局部発振信号に受信信号を混合することにより、前記受信信号を第１中間周波信号に変換する第１混合器と、前記第１中間周波信号のフィルタリングを行う第１中間周波フィルタと、第２局部発振信号を生成する第２局部発振器と、前記第２局部発振信号を前記第１中間周波信号に混合することにより、前記第１中間周波信号を第２中間周波信号に変換する第２混合器と、前記第２中間周波信号のフィルタリングを行う第２中間周波フィルタとを備えることを特徴とする情報受信装置。
【００１８】
上記（６）ダブルスーパーヘテロダイン方式を採り、イメージ周波数が放送チャンネル間の未使用の周波数帯域内に収まるように局部発振周波数を設定することによってテレビジョン放送の全ての放送チャンネルに渡ってイメージ妨害を効果的に除去することが可能となる。
【００１９】
（７）イメージ周波数が放送チャンネル間の未使用の周波数帯域内に収まるように局部発振周波数が設定された第１局部発振信号を生成する第１局部発振器と、前記第１局部発振信号に受信信号を混合することにより、前記受信信号を第１中間周波信号に変換する第１混合器と、前記第１中間周波信号のフィルタリングを行う第１中間周波フィルタと、第２局部発振信号を生成する第２局部発振器と、前記第２局部発振信号を前記第１中間周波信号に混合することにより、前記第１中間周波信号を第２中間周波信号に変換する第２混合器と、前記第２中間周波信号のフィルタリングを行う第２中間周波フィルタと、前記イメージ周波数が放送信号の帯域内に収まるように、前記第１局部発振器の局部発振周波数を、上側局部発振周波数と下側局部発振周波数とで互いに切り替える発振周波数切替手段とを備えることを特徴とする情報受信装置。
【００２０】
上記（７）の情報受信装置では、イメージ周波数が放送チャンネル間の未使用の帯域内に収まるように局部発振周波数を設定することによってテレビジョン放送の全ての放送チャンネルに渡ってイメージ妨害を安定的に除去することが可能となる。
【００２１】
（８）前記発振周波数切替手段は、放送受信周波数帯域のうち低周波領域受信時に前記第１局部発振器の局部発振周波数として下側局部発振周波数を使用している場合において、イメージ周波数が放送信号帯域外になる場合には、前記第１局部発振器の局部発振周波数を上側局部発振周波数に切り替え、放送受信周波数帯域のうち高周波領域受信時に前記第１局部発振器の局部発振周波数として上側局部発振周波数を使用している場合において、イメージ周波数が放送信号帯域外になる場合には、前記第１局部発振器の局部発振周波数を下側局部発振周波数に切り替えることを特徴とする（７）の情報受信装置。
【００２２】
上記（８）の情報受信装置では、（７）の情報受信装置において特に、ダブルスーパーヘテロダイン方式を採り、全ての放送チャンネルの全てのイメージ周波数を放送信号の帯域内に収めることができる。
【００２３】
（９）前記第１中間周波フィルタはＳＡＷフィルタであり、前記第１中間周波信号の周波数が３０〜６５ＭＨｚの範囲内に収まるように前記第１局部発振信号の局部発振周波数を設定することを特徴とする（５）〜（８）の何れか一の情報受信装置。
上記（９）の情報受信装置では、（５）〜（８）の何れか一の情報受信装置において特に、不要な周波数域に関して急峻な遮断特性を得ることが可能となり、隣接チャンネル妨害を大幅に軽減することが可能となるとともに、ＳＡＷフィルタの製造が容易となるようにＳＡＷフィルタの中心周波数が設定され得る。
【００２４】
（１０）選局操作を行うための選局操作部と、局部発振信号源と、前記局部発振信号源から供給される局部発振信号に受信信号を混合して中間周波信号を生成する混合器とを備えたスーパーヘテロダイン方式の情報受信装置であって、前記局部発振信号源は、局部発振信号の周波数に対応するイメージ周波数が送信電力の相対的に小さい局の送信電波の周波数帯域に属するように前記選局操作部における選局結果に依拠して上側局部発振周波数と下側局部発振周波数とが切り替わるように構成されていることを特徴とする情報受信装置。
【００２５】
上記（１０）の情報受信装置では、スーパーヘテロダイン方式で局部発振信号に受信信号を混合して中間周波信号を生成するに際して、局部発振信号源は、局部発振信号の周波数に対応するイメージ周波数が送信電力の相対的に小さい局の送信電波の周波数帯域に属するように前記選局操作部における選局結果に依拠して上側局部発振周波数と下側局部発振周波数とが切り替わるように構成されている。
【００２６】
このため、イメージ周波数の信号が妨害波として作用する度合いが相対的に弱くなり、局部発振信号の周波数が多少変動してイメージ周波数が放送ないし通信に用いられる周波数域に入り込むようなことが発生しても、イメージ妨害の程度が相対的に軽度のものに留まる。
また、このようにイメージ妨害の程度を相対的に軽度のものに留めるべく機能するための局部発振信号源における上側局部発振周波数と下側局部発振周波数との切り替えは、イメージ周波数の現実の信号レベルを検出する等の複雑な処理を俟つことなく、選局操作部における選局結果次第で切り替えるといった簡易な手法によるものであるため、構成が複雑化するといった不都合を招来することもない。
【００２７】
（１１）前記局部発振信号源は、前記選局操作部における選局結果に応じて、公開された放送局の送信周波数と送信電力とのデータを参照して前記上側局部発振周波数と下側局部発振周波数との切り替えを制御するように構成されていることを特徴とする（１０）の情報受信装置。
上記（１１）の情報受信装置では、（１０）の情報受信装置において特に、上側局部発振周波数と下側局部発振周波数との切り替えを制御するに際して、選局操作部における選局結果に応じて、例えばテーブル化して適宜に保持された放送局の送信周波数と送信電力とのデータを参照してこの制御を行うため、イメージ周波数の現実の信号レベルを検出する等の複雑な構成を要さず、構成の簡素化が阻害されることがない。
【００２８】
（１２）前記スーパーヘテロダイン方式の情報受信装置は、ダブルスーパーヘテロダイン方式を採るものであり、前記局部発振信号源は最前段の局部発振信号源であり、且つ、前記混合器は当該最前段の局部発振信号源に対応するものであることを特徴とする（１０）の情報受信装置。
上記（１２）の情報受信装置では、（１０）の情報受信装置において特に、ダブルスーパーヘテロダイン方式を採りつつ、（１０）の情報受信装置と同様にして、最前段の局部発振信号源による上側局部発振周波数と下側局部発振周波数とが切り替わり、イメージ周波数の信号が妨害波として作用する度合いが相対的に弱くなり、局部発振信号の周波数が多少変動してイメージ周波数が放送ないし通信に用いられる周波数域に入り込むようなことが発生しても、イメージ妨害の程度が相対的に軽度のものに留まる。
【００２９】
また、このようなダブルスーパーヘテロダイン方式においても、イメージ妨害の程度を相対的に軽度のものに留めるべく機能するための最前段の局部発振信号源における上側局部発振周波数と下側局部発振周波数との切り替えは、イメージ周波数の現実の信号レベルを検出する等の複雑な処理を俟つことなく、選局操作部における選局結果次第で切り替えるといった簡易な手法によるものであるため、構成が複雑化するといった不都合を招来することもない。
【００３０】
（１３）選局操作を行うための選局操作部と、局部発振信号源と、前記局部発振信号源から供給される局部発振信号に受信信号を混合して中間周波信号を生成する混合器とを備えたスーパーヘテロダイン方式の情報受信装置であって、前記局部発振信号源は、局部発振信号の周波数に対応するイメージ周波数が送信電力の相対的に小さい局の送信電波の周波数帯域に属するように前記選局操作部における選局結果に依拠して当該局部発振信号の周波数を変更可能に構成されていることを特徴とする情報受信装置。
【００３１】
上記（１３）の情報受信装置では、スーパーヘテロダイン方式で局部発振信号に受信信号を混合して中間周波信号を生成するに際して、局部発振信号源は、局部発振信号の周波数に対応するイメージ周波数が送信電力の相対的に小さい局の送信電波の周波数帯域に属するように前記選局操作部における選局結果に依拠して当該局部発振信号の周波数が変更可能に構成されている。
【００３２】
このため、イメージ周波数の信号が妨害波として作用する度合いが相対的に弱くなるように局部発振信号の周波数を設定可能であり、局部発振信号の周波数が多少変動してイメージ周波数が放送ないし通信に用いられる周波数域に入り込むようなことが発生しても、イメージ妨害の程度が相対的に軽度のものに留まる。
また、このようにイメージ妨害の程度得を相対的に軽度のものに留めるべく機能するための局部発振信号源における局部発振周波数の変更は、イメージ周波数の現実の信号レベルを検出する等の複雑な処理を俟つことなく、選局操作部における選局結果次第で切り替えるといった簡易な手法によるものであるため、構成が複雑化するといった不都合を招来することもない。
【００３３】
（１４）前記局部発振信号源は、前記選局操作部における選局結果に応じて、公開された放送局の送信周波数と送信電力とのデータを参照して当該局部発振信号の周波数を制御するように構成されていることを特徴とする（１３）の情報受信装置。
上記（１４）の情報受信装置では、（１３）の情報受信装置において特に、当該局部発振信号の周波数を制御するに際して、選局操作部における選局結果に応じて、例えばテーブル化して適宜に保持された放送局の送信周波数と送信電力とのデータを参照してこの制御を行うため、イメージ周波数の現実の信号レベルを検出する等の複雑な構成を要さず、構成の簡素化が阻害されることがない。
【００３４】
（１５）前記スーパーヘテロダイン方式の情報受信装置は、ダブルスーパーヘテロダイン方式を採るものであり、前記局部発振信号源は最前段の局部発振信号源であり、且つ、前記混合器は当該最前段の局部発振信号源に対応するものであることを特徴とする（１３）の情報受信装置。
【００３５】
上記（１５）の情報受信装置では、（１３）の情報受信装置において特に、ダブルスーパーヘテロダイン方式を採りつつ、（１３）の情報受信装置と同様にして、最前段の局部発振信号源による局部発振信号の周波数が変更されて、イメージ周波数の信号が妨害波として作用する度合いが相対的に弱くなるように局部発振信号の周波数を設定可能であり、最前段の局部発振信号源による局部発振信号の周波数が多少変動してイメージ周波数が放送ないし通信に用いられる周波数域に入り込むようなことが発生しても、イメージ妨害の程度が相対的に軽度のものに留まる。
【００３６】
また、このようにイメージ妨害の程度得を相対的に軽度のものに留めるべく機能するための最前段の局部発振信号源における局部発振周波数の変更は、イメージ周波数の現実の信号レベルを検出する等の複雑な処理を俟つことなく、選局操作部における選局結果次第で切り替えるといった簡易な手法によるものであるため、構成が複雑化するといった不都合を招来することもない。
【００３７】
（１６）局部発振信号に受信信号を混合して中間周波信号を生成するスーパーヘテロダイン方式による情報受信方法であって、前記局部発振信号の周波数に対応するイメージ周波数が送信電力の相対的に小さい局の送信電波の周波数帯域に属するように、選局結果に応じて、公開された放送局の送信周波数と送信電力とのデータを参照して、上側局部発振周波数と下側局部発振周波数とを切り替えることを特徴とする情報受信方法。
【００３８】
上記（１６）の情報受信方法では、スーパーヘテロダイン方式で局部発振信号に受信信号を混合して中間周波信号を生成するに際して、局部発振信号の周波数に対応するイメージ周波数が送信電力の相対的に小さい局の送信電波の周波数帯域に属するように、選局結果に依拠して上側局部発振周波数と下側局部発振周波数とを切り替える。
このため、イメージ周波数の信号が妨害波として作用する度合いが相対的に弱くなり、局部発振信号の周波数が多少変動してイメージ周波数が放送ないし通信に用いられる周波数域に入り込むようなことが発生しても、イメージ妨害の程度が相対的に軽度のものに留まる。
【００３９】
（１７）局部発振信号に受信信号を混合して中間周波信号を生成するスーパーヘテロダイン方式による情報受信方法であって、前記局部発振信号の周波数に対応するイメージ周波数が送信電力の相対的に小さい局の送信電波の周波数帯域に属するように、選局結果に応じて、公開された放送局の送信周波数と送信電力とのデータを参照して、前記局部発振信号の周波数を制御することを特徴とする情報受信方法。
【００４０】
上記（１７）の情報受信方法では、スーパーヘテロダイン方式で局部発振信号に受信信号を混合して中間周波信号を生成するに際して、局部発振信号の周波数に対応するイメージ周波数が送信電力の相対的に小さい局の送信電波の周波数帯域に属するように、選局結果に依拠して、当該局部発振信号の周波数を制御する。
このため、イメージ周波数の信号が妨害波として作用する度合いが相対的に弱くなるように該局部発振信号の周波数を設定可能であり、局部発振信号の周波数が多少変動してイメージ周波数が放送ないし通信に用いられる周波数域に入り込むようなことが発生しても、イメージ妨害の程度が相対的に軽度のものに留まる。
【発明を実施するための最良の形態】
【００４１】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の第１実施の形態に係る情報受信装置の概略構成を示すブロック図である。
【００４２】
図１において、情報受信装置には、空間に放射された電波を受信するアンテナ１０、アンテナ１０で受信された高周波信号を増幅する高周波増幅器１１、局部発振信号を生成する局部発振器１３、局部発振器１３で生成された局部発振信号を受信信号に混合することにより、受信信号を中間周波信号に変換する混合器１２、混合器１２から出力された中間周波信号のフィルタリングを行うことにより、中間周波信号の所望の帯域を抽出する中間周波フィルタ１４、中間周波信号に変換された受信信号を復調する復調部１５および選択された放送チャンネルを局部発振器１３に伝えるチャンネル選択操作部１６が設けられている。
【００４３】
尚、局部発振器１３としては、例えば、電圧制御型水晶発振器の他、ＰＬＬ（Phase  Locked  Loop）回路やＤＬＬ（Delay  Locked  Loop）回路を用いるようにしてもよい。また、情報受信装置としては、例えば、地上デジタル放送受信機を挙げることができ、チャンネル選択操作部１６は、１３チャンネルから６２チャンネルのいずれかのチャンネルを選択することができる。ここで、局部発振器１３は、イメージ周波数が放送チャンネル間の未使用の帯域内に収まるように局部発振信号の局部発振周波数を設定する。
【００４４】
チャンネル選択操作部１６は、放送チャンネルが選択されると、選択された放送チャンネルを局部発振器１３に伝える。局部発振器１３は、放送チャンネルがチャンネル選択操作部１６から伝えられると、イメージ周波数が放送チャンネル間の未使用の帯域内に収まるようにしながら、その放送チャンネルの受信中心周波数が中間周波数に変換されるように局部発振信号の局部発振周波数を設定する。
上述のアンテナ１０で受信された受信信号は高周波増幅器１１で増幅された後、混合器１２に供給される。また、混合器１２には、局部発振器１３で生成された局部発振信号が供給される。そして、受信信号が混合器１２に送られると、混合器１２で局部発振信号と混合され、受信信号が中間周波信号に変換される。
【００４５】
上述のようにして混合器１２で生成された中間周波信号は中間周波フィルタ１４に送られ、中間周波フィルタ１４にて中間周波信号から所望の帯域の信号が抽出された後、復調部１５に送られる。
復調部１５では、ＮＣＯ（周波数変換用発振器：Numerical  Controlled  Oscillator）や周波数オフセット回路を用い、最も処理しやすい0.5×64/63ＭＨｚ（略0.508ＭＨｚ）に中間周波数を変換しながら、復調処理を行うことができる。
【００４６】
ここで、イメージ周波数が放送チャンネル間の未使用の帯域内に収まるように局部発振器１３による局部発振信号の局部発振周波数を設定することにより、受信信号を中間周波信号に変換する時にイメージ周波数が放送チャンネルの使用帯域に入り込まないようにすることができる。即ち、局部発振周波数を単に調整することによってイメージ妨害の発生を回避することが可能となり、従来におけるようにイメージ妨害を除去するためのイメージキャンセルタイプの混合器を用いたり、受信周波数毎に上側ヘテロダイン方式および下側ヘテロダイン方式のうちのイメージ妨害の少ない方式に、ヘテロダイン方式を切り替えたりする必要がなくなることから、回路構成簡素化が阻害されずに受信品質を向上させることができる。
【００４７】
尚、上述した実施の形態では、イメージ周波数が放送チャンネル間の未使用の帯域内に収まるように局部発振信号の局部発振周波数を設定する方法について説明したが、イメージ周波数が無線通信または放送に使用されていない周波数帯域内に収まるように局部発振信号の局部発振周波数を設定するようにしてもよい。
【００４８】
図２は、地上デジタル放送のチャンネルと周波数構成を示す図である。
図２において、地上デジタル放送では１３〜６２チャンネルが設けられ、各チャンネルは、４７０ＭＨｚ〜７７０ＭＨｚの間で６ＭＨｚ毎に分割されている。ここで、各チャンネル間には、帯域幅が略４２８ＫＨｚ分（１セグメント分）の未使用領域が設けられている。
【００４９】
図３は、地上デジタル放送の１３〜１５チャンネルのセグメント構成を示す図である。
図３において、１３チャンネルの受信中心周波数は略４７３．１４３ＭＨｚ、受信最低周波数は略４７０．３５７ＭＨｚ、受信最高周波数は略４７５．９２９ＭＨｚ、１４チャンネルの受信中心周波数は略４７９．１４３ＭＨｚ、受信最低周波数は略４７６．３５７ＭＨｚ、受信最高周波数は略４８１．９２９ＭＨｚ、１５チャンネルの受信中心周波数は略４８５．１４３ＭＨｚ、受信最低周波数は略４８２．３５７ＭＨｚ、受信最高周波数は略４８７．９２９ＭＨｚに設定されている。
【００５０】
そして、地上デジタル放送では、略５．６ＭＨｚの１チャネル分の帯域が１３個のセグメントに分割されている。そして、中央の１セグメント分の帯域Ｓ１を除く１２個のセグメント分の帯域Ｓ２、Ｓ３を用いてハイビジョン放送を行ったり、中央の１セグメント分の帯域Ｓ１を用いて携帯受信機向けサービスを行ったりできるように規定されている。
地上デジタル放送を受信するに際して、イメージ周波数が放送チャンネル間の未使用の帯域内に収まるようにする場合、例えば、受信中心周波数±１．５ＭＨｚまたは±４．５ＭＨｚまたは±７．５ＭＨｚとなるように局部発振周波数を設定する。即ち、局部発振周波数は、地上デジタル放送の１３〜６２チャンネルにそれぞれ対応して、略４７４．６４３ＭＨｚ＋６×Ｎ（Ｎ＝０〜４９）とすることができる。この場合、中間周波数は１．５ＭＨｚになる。
【００５１】
例えば、局部発振周波数ＬＯ１を（受信中心周波数ＲＦ１＋１．５）ＭＨｚとし、１３チャンネルの１セグメント分の信号を受信するものとする。この場合、受信中心周波数ＲＦ１は略４７３．１４３ＭＨｚであり、局部発振周波数ＬＯ１は略４７４．６４３ＭＨｚとなる。また、イメージ周波数ＩＭ１は略４７６．１４３ＭＨｚとなるが、このイメージ周波数ＩＭ１は１３チャンネルと１４チャンネルの間の未使用領域Ｒ１にあり、帯域略４２８ＫＨｚ分（１セグメント分）が無信号状態となるため、イメージ妨害を除去することができる。
【００５２】
また、例えば、局部発振周波数を（受信中心周波数＋４．５）ＭＨｚとし、１３チャンネルの１セグメント分の信号を受信するものとする。この場合、局部発振周波数は略４７７．６４３Ｍ、イメージ周波数は略４８２．１４３Ｍとなるが、このイメージ周波数は１４チャンネルと１５チャンネルの間の未使用領域Ｒ２にあり、帯域略４２８ＫＨｚ分（１セグメント分）が無信号状態となるため、イメージ妨害を除去することができる。
【００５３】
また、局部発振周波数を（受信中心周波数＋７．５）ＭＨｚとし、１３チャンネルの１セグメント分の信号を受信するものとする。この場合、局部発振周波数は略４８０．６４３Ｍ、イメージ周波数は略４８８．１４３Ｍとなるが、このイメージ周波数は１５チャンネルと１６チャンネルの間の未使用領域にあり、帯域略４２８ＫＨｚ分（１セグメント分）が無信号状態となるため、イメージ妨害を除去することができる。
また、移動受信専用の１セグメント分の帯域は、各チャンネルの受信中心周波数と同様に６ＭＨｚずつずれていくため、いずれのチャンネルを選局した場合においても、イメージ妨害を除去することができる。
【００５４】
例えば、局部発振周波数ＬＯ２を（受信中心周波数ＲＦ２＋１．５）ＭＨｚとし、１４チャンネルの１セグメント分の信号を受信するものとする。この場合、受信中心周波数ＲＦ２は略４７９．１４３ＭＨｚであり、局部発振周波数ＬＯ２は略４８０．６４３ＭＨｚとなる。また、イメージ周波数ＩＭ２は略４８２．１４３ＭＨｚとなるが、このイメージ周波数ＩＭ２は１４チャンネルと１５チャンネルの間の未使用領域Ｒ２にあり、帯域略４２８ＫＨｚ分（１セグメント分）が無信号状態となるため、イメージ妨害を除去することができる。
【００５５】
図４は、本発明の第２実施の形態に係る情報受信装置の概略構成を示すブロック図である。
図４において、情報受信装置には、空間に放射された電波を受信するアンテナ２０、アンテナ２０で受信された高周波信号を増幅する高周波増幅器２１、局部発振信号を生成する局部発振器２３、局部発振器２３で生成された局部発振信号を受信信号に混合することにより、受信信号を中間周波信号に変換する混合器２２、混合器２２から出力された中間周波信号のフィルタリングを行うことにより、中間周波信号の所望の帯域を抽出する中間周波フィルタ２４、中間周波信号に変換された受信信号を復調する復調部２５、選択された放送チャンネルを局部発振器２３に伝えるチャンネル選択操作部２６およびイメージ周波数が放送信号の帯域内に収まるように上側局部発振周波数と下側局部発振周波数とを互いに切り替えるための上側局発・下側局発切り替え信号発生部２７が設けられている。
【００５６】
ここで、局部発振器２３は、イメージ周波数が放送チャンネル間の未使用の帯域内に収まるように局部発振信号の局部発振周波数を設定することができる。また、上側局発・下側局発切り替え信号発生部２７は、放送受信周波数帯域のうち低周波領域受信時に下側局部発振周波数を使用している場合において、イメージ周波数が放送信号帯域外になる場合には、上側局部発振周波数に切り替え、放送受信周波数帯域のうち高周波領域受信時に上側局部発振周波数を使用している場合において、イメージ周波数が放送信号帯域外になる場合には、下側局部発振周波数に切り替えることができる。
【００５７】
尚、上側局部発振周波数または下側局部発振周波数が指定された場合にイメージ周波数が放送信号の帯域を逸脱することになるチャンネルは予めチャンネル選択操作部２６に登録することができる。
そして、チャンネル選択操作部２６は、放送チャンネルが選択されると、選択された放送チャンネルを局部発振器２３に伝えるとともに、その選択された放送チャンネルではイメージ周波数が放送信号の帯域を逸脱する場合には、その放送チャンネルを上側局発・下側局発切り替え信号発生部２７に伝える。
【００５８】
上側局発・下側局発切り替え信号発生部２７は、イメージ周波数が放送信号の帯域を逸脱する放送チャンネルがチャンネル選択操作部２６から伝えられると、上側局発・下側局発切り替え信号を局部発振器２３に出力する。
局部発振器２３は、上述のような放送チャンネルに係る情報がチャンネル選択操作部２６から伝えられると、イメージ周波数が放送チャンネル間の未使用の帯域内に収まるようにしながら、その放送チャンネルの受信中心周波数が中間周波数に変換されるように局部発振信号の局部発振周波数を設定する。局部発振器２３は、上側局発・下側局発切り替え信号発生部２７から上側局発・下側局発切り替え信号が送られると、上側局部発振周波数と下側局部発振周波数とを切り替える。
【００５９】
アンテナ２０にて受信された受信信号は高周波増幅器２１にて増幅された後、混合器２２に供給されるが、混合器２２には、局部発振器２３で生成された局部発振信号が供給される。受信信号が混合器２２に供給されると、混合器２２で局部発振信号と混合され、受信信号が中間周波信号に変換される。上述のようにして混合器２２で生成された中間周波信号は中間周波フィルタ２４に送られ、中間周波フィルタ２４にて中間周波信号から所望の帯域の信号が抽出された後、復調部２５に送られる。復調部２５では、最も処理しやすい０．５×６４／６３ＭＨｚ（略０．５０８ＭＨｚ）に中間周波数を変換しながら、復調処理を行う。
【００６０】
これにより、全ての放送チャンネルの全てのイメージ周波数を放送信号の帯域内に収めることができる。従って、回路構成の簡素化が阻害されることなくテレビジョン放送の全ての放送チャンネルに渡ってイメージ妨害を安定的に除去することが可能となり、小型で軽量であることを維持しつつ、受信品質を向上させることができる。
一方、受信中心周波数が略４７３．１４３ＭＨｚであり、中間周波数を４．５ＭＨｚに、従って、下側局部発振周波数を略４６８．６４３ＭＨｚに設定した場合には、イメージ周波数は４６４．１４３ＭＨｚとなる。この状況では、イメージ周波数が地上デジタル放送の帯域外となり、もはやイメージ周波数帯の無信号状態を保障できない。
【００６１】
そこで、本発明の実施の形態では、選局に従った所望信号として下側局部発振周波数を使用するとイメージ周波数が地上デジタル放送の帯域を逸脱してしまうような場合には、選局に従った所望信号として上側局部発振周波数を用いるように切り替える。従って、この切り替えにより、イメージ周波数を地上デジタル放送の帯域内に収めることができ、且つ、イメージ周波数帯が選局に係る放送信号の帯域に入り込まない状態（実効的に無信号状態）を保障することができる。
【００６２】
他方、受信中心周波数が略７６７．１４３ＭＨｚであり、中間周波数を４．５ＭＨｚに、従って、上側局部発振周波数を略７７１．６４３ＭＨｚに設定した場合には、イメージ周波数は７７６．１４３ＭＨｚとなる。この状況では、イメージ周波数が地上デジタル放送の帯域外となり、もはやイメージ周波数帯の無信号状態を保障できない。
このような場合についても、本発明の実施の形態では、選局に従った所望信号として上側局部発振周波数を使用するとイメージ周波数が地上デジタル放送の帯域を逸脱してしまうような場合には、選局に従った所望信号として下側局部発振周波数を用いるように切り替える。従って、この切り替えにより、イメージ周波数を地上デジタル放送の帯域内に収めることができ、且つ、イメージ周波数帯が選局に係る放送信号の帯域に入り込まない状態（実効的に無信号状態）を保障することができる。
【００６３】
上述のような上側局部発振周波数を用いるか下側局部発振周波数を用いるかの切り替えは、受信信号の上側に局部発振周波数を配置して受信する所謂上側ヘテロダイン方式と受信信号の下側に局部発振周波数を配置して受信する所謂下側ヘテロダイン方式とを切り替えることに相応する。
【００６４】
このように、イメージ周波数を放送信号の帯域における有効信号の帯域を外れた位置（周波数軸上の位置）に追い遣る一方で、イメージ周波数が放送信号の帯域（その最外郭の周波数域）を逸脱することのないように局部発振周波数を切り替えるといった技術思想は、従来の技術においてはこのような視点自体が皆無であり、本発明の特徴として強調されるべき点である。
尚、上側局部発振周波数と下側局部発振周波数とを切り替えると、ＯＦＤＭ信号の並びが逆転するが、ＯＦＤＭ信号の並びは復調部２５によって修正することができる。
【００６５】
図５は、本発明の第３実施の形態に係る情報受信装置の概略構成を示すブロック図である。
図５において、情報受信装置には、空間に放射された電波を受信するアンテナ３０、アンテナ３０で受信された高周波信号を増幅する高周波増幅器３１、第１局部発振信号を生成する第１局部発振器３３、第１局部発振器３３で生成された第１局部発振信号を受信信号に混合することにより、受信信号を第１中間周波信号に変換する第１混合器３２、第１混合器３２から出力された第１中間周波信号に対するフィルタリングを行うことにより、第１中間周波信号の所望の帯域を抽出する第１中間周波フィルタ３４、第２局部発振信号を生成する第２局部発振器３６、第２局部発振器３６にて生成された第２局部発振信号を第１中間周波信号に混合することにより、第１中間周波信号を第２中間周波信号に変換する第２混合器３５、第２混合器３５から出力された第２中間周波信号に対するフィルタリングを行うことにより、第２中間周波信号の所望の帯域を抽出する第２中間周波フィルタ３７、中間周波信号に変換された受信信号を復調する復調部３８および選択された放送チャンネルを第１局部発振器３３に伝えるチャンネル選択操作部３９が設けられている。
【００６６】
尚、第１局部発振器３３としては、例えば、電圧制御型水晶発振器の他、ＰＬＬ回路やＤＬＬ回路を用いるようにしてもよい。ここで、第１局部発振器３３は、イメージ周波数が放送チャンネル間の未使用の帯域内に収まるように第１局部発振信号の局部発振周波数を設定することができる。
例えば、地上デジタル放送を受信する場合、第１局部発振信号の局部発振周波数は、略５０４．６４３＋６×Ｎ（Ｎ＝０〜４９）ＭＨｚとすることができる。また、第２局部発振信号の局部発振周波数は、例えば、第２中間周波信号の中間周波数がＯＦＤＭ復調部で処理しやすい０．５×６４／６３ＭＨｚ（略０．５０８ＭＨｚ）となるように設定すると、略３２．００８ＭＨｚの固定周波数となる。
【００６７】
チャンネル選択操作部３９は、放送チャンネルが選択されると、選択された放送チャンネルを第１局部発振器３３に伝える。第１局部発振器３３は、放送チャンネルを表す情報がチャンネル選択操作部３９から伝えられると、イメージ周波数が放送チャンネル間の未使用の帯域内に収まるようにしながら、その放送チャンネルの受信中心周波数が中間周波数に変換されるように第１局部発振信号の局部発振周波数を設定する。
【００６８】
アンテナ３０で受信された受信信号は高周波増幅器３１にて増幅された後、第１混合器３２に供給されるが、第１混合器３２には、第１局部発振器３３で生成された第１局部発振信号が供給される。受信信号が第１混合器３２に供給されると、第１混合器３２で第１局部発振信号と混合され、受信信号が第１中間周波信号に変換される。
そして、第１混合器３２で生成された第１中間周波信号は、第１中間周波フィルタ３４に送られる。第１中間周波フィルタ３４にて第１中間周波信号のフィルタリングが行われ、第１中間周波フィルタ３４で抽出された第１中間周波信号の所望の帯域の信号が第２混合器３５に供給されるが、第２混合器３５には、第２局部発振器３６で生成された第２局部発振信号が出力される。
【００６９】
そして、第１中間周波フィルタ３４にて抽出された第１中間周波信号の所望の帯域の信号が第２混合器３５に送られると、第２混合器３５で第２局部発振信号と混合され、第１中間周波信号が第２中間周波信号に変換される。
上述のようにして、第２混合器３５で生成された第２中間周波信号は第２中間周波フィルタ３７に送られ、第２中間周波フィルタ３７にて中間周波信号から所望の帯域の信号が抽出された後、復調部３８に送られる。
【００７０】
これにより、ダブルスーパーヘテロダイン方式の場合においても、局部発振周波数を単に調整することで、イメージ妨害を有効に回避することが可能となり、小型軽量化が阻害されることなく、受信品質を向上させることができる。
なお、第１中間周波フィルタ３４としてはＳＡＷ（Surface  Acoustic  Wave）フィルタを用いることが好ましく、第１中間周波信号の周波数が３０〜６５ＭＨｚの範囲内に収まるように第１局部発振信号の局部発振周波数を設定することが好ましい。
【００７１】
これにより、急峻な遮断特性を得ることが可能となり、隣接チャンネル妨害を大幅に軽減することが可能となるとともに、ＳＡＷフィルタの製造が容易となるようにＳＡＷフィルタの中心周波数を設定することが可能となる。
すなわち、隣接チャンネル妨害を大幅に低減させるためには、ＳＡＷフィルタを第１中間周波フィルタ３４として挿入することが望ましい。一方、ＳＡＷフィルタの製造技術上、製造し易いＳＡＷフィルタの中心周波数は３０〜６５ＭＨｚ程度である。そこで、第１中間周波フィルタ３４としてＳＡＷフィルタを用いる場合には、第１中間周波信号の中間周波数を｛３１．５＋３×Ｍ（Ｍ＝０〜１１）｝ＭＨｚに設定することが好ましい。
【００７２】
例えば、Ｍ＝０の場合、第１中間周波信号の中間周波数は３１．５ＭＨｚとなる。そして、１３チャンネルを受信するものとすると、受信中心周波数は略４７３．１４３ＭＨｚ、上側局部発振周波数は略５０４．６４３ＭＨｚとなり、イメージ周波数は略５３６．１４３ＭＨｚとなる。この場合、イメージ周波数は２３チャンネルと２４チャンネルの間の未使用領域にあり、帯域略４２８ＫＨｚ分（１セグメント分）の無信号帯域内に収まっていりため、イメージ妨害を回避することができる。Ｍが１〜１１の場合も同様である。
【００７３】
なお、図５の実施の形態として、イメージ周波数が放送チャンネル間の未使用の帯域内に収まるように局部発振信号の局部発振周波数を設定する場合について説明したが、イメージ周波数が放送信号帯域外になる場合には、既述の実施の形態におけると同様に、イメージ周波数が放送信号帯域内に収まるように、上側局部発振周波数と下側局部発振周波数とを互いに切り替えるようにしてもよい。
【００７４】
以上を総じて、本発明は、デジタル放送等に用いられるＯＦＤＭ信号による通信に適用するに好適である。なぜなら、ＯＦＤＭ信号のスペクトラムは方形（垂直に立ち上がり、垂直に立ち下がる）であるため、希望信号帯域とイメージ信号帯域（本発明においては無信号部分）が同一でも、局部発振器の周波数誤差がなければ、イメージ妨害を大幅に抑制することができるからである。一方、ＡＭ（振幅変調）やＦＭ（周波数変調）の信号スペクトラムは方形ではなく、裾を引いてしかも変調度により変動するため、局発の周波数誤差がなくても、スペクトラムの一部が本来無信号であるべきイメージ帯域内に進入し妨害が発生する可能性がある。
【００７５】
発明者は更に考察を深め、現実的な条件の下で想定される問題を確実に克服することができる技術を創出するに到った。
即ち、上述の各実施の形態においては、周波数アロケーションで見たときにイメージの周波数が通信ないし放送に有効に用いられる帯域から外れた、例えば、ガードバンドなどに該当する区間内に位置するようにして、イメージ妨害の発生を回避するものであった。
【００７６】
この技術は、従来の技術におけるように発生してしまったイメージ信号を敢えて抑圧するのではなく、そのイメージ信号をこれに起因するイメージ妨害が生じないような周波数軸上での所定の区間内に追い込み（その区間内においてのみ生起することを許容して）、実効的にイメージ妨害が生じることを回避するといったものであるため、従来技術のようにイメージ信号を抑圧するための構成上の負担、ないしは、信号処理に係る負担を大幅に軽減することができるため、既述のように、情報受信装置としての小型軽量化が阻害されずに、イメージ妨害の影響を被ることのない、極めて良好な受信品質を得ることができる。
【００７７】
このような技術は、小型軽量化を図りつつ良好な受信品質を得るといった点において極めて有効であることは既述のとおりである。一方、この技術の具現には、適用される局部発振器には相応の極めて高い精度が要求される。
即ち、上掲のように例示した実施の形態では、選局に沿う希望周波数帯域とイメージ周波数を追い込むべき無信号帯域とが同一の４２８ＫＨｚであり、周波数の誤差に係るマージンが無いことになるが、局部発振器の発振周波数の変動を純然たる意味合いにおいて皆無にすることは極めて困難である。
【００７８】
このため、例えば、１０ｐｐｍ程度の変動（例えば７７０ＭＨｚの定格に対して７．７ＫＨｚ）は許容されることが望まれることになる。
以下に述べる本発明の実施の形態は、このような現実的な問題を解決するべく、端的には、送信電力が相対的に小さい周波数帯域にイメージ信号を追い遣ったような周波数アロケーションとなるようにして（こうなるように局部発振器の発振周波数を選択することによって）イメージ妨害の影響をより十全に回避することができるようにしようというものである。
【００７９】
図６は、本発明の第４の実施の形態を原理的に説明するための周波数アロケーションを表す図である。
図６において、例えば、放送チャンネルであるチャンネルＡとチャンネルＢの送信電力が各１ＫＷ、チャンネルＣ、チャンネルＤ、および、チャンネルＥの送信電力が各２ＫＷであると仮定する。この場合、チャンネルＣの１セグメントを受信するときには、上側局部発振周波数を希望周波数としたときのイメージ信号は無信号帯域内に収まっていても、そのレベルは、破線図示のように分布するノイズよってノイズフロアが相対的に高められる。
【００８０】
このような領域内にイメージ信号が位置しているときには、局部発振周波数が変動したときの影響が相対的に大きなものとなる。
このような現象の分析に基づいて、本発明の実施の形態では、上述のように上側局部発振周波数を希望周波数としたときのイメージ信号が相対的に大きな信号レベルの帯域に位置してしまうような場合には、希望周波数として下側局部発振周波数を選択するように切り替えることによって、不所望なノイズフロアの上昇を回避する。
同様に、下側局部発振周波数を希望周波数としたときのイメージ信号が相対的に大きな信号レベルの帯域に位置してしまうような場合には、希望周波数として上側局部発振周波数を選択するように切り替えるべきことは言うまでもない。
【００８１】
図７は、本発明の第４の実施の形態に係る情報受信装置の概略構成を示すブロック図である。
図７において、情報受信装置には、空間に放射された電波を受信するアンテナ４０、アンテナ４０で受信された高周波信号を増幅する高周波増幅器４１、局部発振信号を生成する局部発振器４３、局部発振器４３で生成された局部発振信号を受信信号に混合することにより、受信信号を中間周波信号に変換する混合器４２、混合器４２から出力された中間周波信号に対するフィルタリングを行うことにより、中間周波信号の所望の帯域（例えば、４．５ＭＨｚ）を抽出する中間周波フィルタ４４（図ではＩＦフィルタと表記）、中間周波信号に変換された受信信号を復調する復調部４５、ユーザーによる選局操作を受け付け選択された放送チャンネルを表す情報を局部発振器４３に伝える選局操作部としてのチャンネル選択操作部４６、および、イメージ周波数が送信信号の電力が相対的に小さい帯域に該当するように上側局部発振周波数と下側局部発振周波数とを互いに切り替えるための上側局発・下側局発切り替え信号発生部４７が設けられている。
【００８２】
局部発振器４３は、上側局発・下側局発切り替え信号発生部４７から供給される切り替え指令に応答して、イメージ周波数が送信信号の電力が相対的に小さい帯域に該当するように上側局部発振周波数と下側局部発振周波数とを切り替える。
図７を参照して説明した本発明の実施の形態の構成を、発明の構成要素との対応を明らかにするべく次に要約する。
【００８３】
即ち、この実施の形態の情報受信装置は、選局操作を行うための選局操作部（チャンネル選択操作部４６）と、局部発振信号源（局部発振器４３、上側局発・下側局発切り替え信号発生部４７）と、この局部発振信号源から供給される局部発振信号に受信信号を混合して中間周波信号を生成する混合器（混合器４２）とを備えたスーパーヘテロダイン方式の情報受信装置であって、局部発振信号源（局部発振器４３、上側局発・下側局発切り替え信号発生部４７）は、局部発振信号の周波数に対応するイメージ周波数が送信電力の相対的に小さい局の送信電波の周波数帯域に属するように選局操作部（チャンネル選択操作部４６）における選局結果に依拠して上側局部発振周波数と下側局部発振周波数とが切り替わるように構成されている。
【００８４】
この実施の形態では、このような構成を採ることによって、イメージ周波数の信号がそれに係る周波数域でノイズフロアが高められる程度が相対的に低い周波数域に位置するようになり、妨害波として作用する度合いが相対的に弱くなり、局部発振信号の周波数が多少変動してイメージ周波数が放送ないし通信に用いられる周波数域に入り込むようなことが発生しても、イメージ妨害の程度が相対的に軽度のものに留まる。
【００８５】
また、このようにイメージ妨害の程度得を相対的に軽度のものに留めるべく機能するための局部発振信号源における上側局部発振周波数と下側局部発振周波数との切り替えは、イメージ周波数の現実の信号レベルを検出する等の複雑な処理を俟つことなく、選局操作部（チャンネル選択操作部４６）における選局結果次第で切り替えるといった簡易な手法によるものであるため、構成が複雑化するといった不都合を招来することもない。
【００８６】
即ち、この実施の形態では、上側局部発振周波数と下側局部発振周波数との切り替えを制御するに際して、選局操作部（チャンネル選択操作部４６）における選局結果に応じて、例えばテーブル化してチャンネル選択操作部４６に登録する等適宜に保持した放送局の送信周波数と送信電力とのデータを参照して、言わば一義的に定めたデータに従って、この制御を行うため、イメージ周波数の現実の信号レベルを検出する等の複雑な構成を要さず、構成の簡素化が阻害されることがない。
【００８７】
図８は、本発明の第５の実施の形態を原理的に説明するための周波数アロケーションを表す図である。
図８において、例えば、放送チャンネルであるチャンネルＡとチャンネルＢの送信電力が各１ＫＷ、チャンネルＣ、チャンネルＤ、および、チャンネルＥの送信電力が各２ＫＷであると仮定する。この状況において、チャンネルＤの１セグメントを受信するときに、中間周波数として４．５ＭＨｚを選択した場合には、これに対するイメージ周波数はチャンネルＢとチャンネルＣとの間の、破線図示したノイズフロアが立ち上げる領域に位置することになる。
【００８８】
一方、同じチャンネルＤの１セグメントを受信するに際して、中間周波数として７．５ＭＨｚを選択した場合には、これに対するイメージ周波数はチャンネルＡとチャンネルＢとの間の、ノイズフロアが未だ極小である領域に位置することになる。
従って、チャンネルＤの１セグメントを受信するに際しては、中間周波数として７．５ＭＨｚを選択する方がイメージ妨害の影響は相対的に低くなり、高品質の受信を実現するためには有利である。
【００８９】
図９は、本発明の第５の実施の形態に係る情報受信装置の概略構成を示すブロック図である。
図９において、情報受信装置には、空間に放射された電波を受信するアンテナ５０、アンテナ５０で受信された高周波信号を増幅する高周波増幅器５１、局部発振信号を生成する局部発振器５３、局部発振器５３で生成された局部発振信号を受信信号に混合することにより、受信信号を中間周波信号に変換する混合器５２、混合器５２から出力された中間周波信号に対するフィルタリングを行うことにより、中間周波信号の所望の帯域（例えば、４．５ＭＨｚまたは７．５ＭＨｚ）を抽出する中間周波フィルタ５４（図ではＩＦフィルタと表記）、中間周波信号に変換された受信信号を復調する復調部５５、ユーザーによる選局操作を受け付け選択された放送チャンネルを表す情報を局部発振器５３に伝える選局操作部としてのチャンネル選択操作部５６、および、イメージ周波数が送信信号の電力が相対的に小さい帯域に該当するように局部発振周波数と中間周波数を適切な値に切り替えるための局発周波数・ＩＦ周波数切り替え信号発生部５７が設けられている。
【００９０】
局部発振器５３は、局発周波数・ＩＦ周波数切り替え信号発生部５７から供給される切り替え指令に応答して、イメージ周波数が送信信号の電力が相対的に小さい帯域に該当するように上側局部発振周波数と下側局部発振周波数とを切り替える。
これに伴ない、中間周波フィルタ５４においても、局発周波数・ＩＦ周波数切り替え信号発生部５７から供給される切り替え指令に応答して、局部発振器５３における上述の周波数切り替えに相応した中間周波数に適合するようにその特性を切り替える。
【００９１】
図９を参照して説明した本発明の実施の形態の構成を、発明の構成要素との対応を明らかにするべく次に要約する。
即ち、この実施の形態の情報受信装置は、選局操作を行うための選局操作部（チャンネル選択操作部５６）と、局部発振信号源（局部発振器５３、局発周波数・ＩＦ周波数切り替え信号発生部５７）と、この局部発振信号源から供給される局部発振信号に受信信号を混合して中間周波信号を生成する混合器（混合器５２）とを備えたスーパーヘテロダイン方式の情報受信装置であって、局部発振信号源（局部発振器５３、局発周波数・ＩＦ周波数切り替え信号発生部５７）は、局部発振信号の周波数に対応するイメージ周波数が送信電力の相対的に小さい局の送信電波の周波数帯域に属するように選局操作部（チャンネル選択操作部５６）における選局結果に依拠して当該局部発振信号の周波数を変更可能に構成されている。既述のように、当該局部発振信号の周波数の変更に伴ないこの変更に相応した中間周波数に適合するように中間周波フィルタ５４の特性が切り替えられる。
【００９２】
この実施の形態では、イメージ周波数の信号が妨害波として作用する度合いが相対的に弱くなるように局部発振信号の周波数を設定可能であり、局部発振信号の周波数が多少変動してイメージ周波数が放送ないし通信に用いられる周波数域に入り込むようなことが発生しても、イメージ妨害の程度が相対的に軽度のものに留まる。
【００９３】
また、このようにイメージ妨害の程度得を相対的に軽度のものに留めるべく機能するための局部発振信号源（局部発振器５３、局発周波数・ＩＦ周波数切り替え信号発生部５７）における局部発振周波数の変更、ならびに、この局部発振周波数の変更に伴なう上述の中間周波フィルタ５４の特性の変更（切り替え）は、イメージ周波数の現実の信号レベルを検出する等の複雑な処理を俟つことなく、選局操作部（チャンネル選択操作部５６）における選局結果次第で切り替えるといった簡易な手法によるものであるため、構成が複雑化するといった不都合を招来することもない。
【００９４】
即ち、この実施の形態では、局部発振信号の周波数の制御およびこれに伴なう中間周波フィルタ５４の特性の制御に際して、選局操作部（チャンネル選択操作部５６）における選局結果に応じて、例えばテーブル化してチャンネル選択操作部５６に登録する等適宜に保持した放送局の送信周波数と送信電力とのデータを参照して、言わば一義的に定めたデータに従って、これらの制御を行うため、イメージ周波数の現実の信号レベルを検出する等の複雑な構成を要さず、構成の簡素化が阻害されることがない。
【００９５】
尚、図６ないし図９を参照して説明したスーパーヘテロダイン方式の情報受信装置は、ダブルスーパーヘテロダイン方式を採ることもでき、この場合は、ブロック図上では、図５と同様の構成となる。このようにダブルスーパーヘテロダイン方式を採る場合には、最前段の局部発振信号源（図５では第１局部発振器３３）について、それによる上側局部発振周波数と下側局部発振周波数とが選局に応じて切り替わるように構成し、或いはまた、最前段の局部発振信号源について、それによる局部発振信号の周波数が選局に応じて変更されるように構成される。
【００９６】
何れの構成を採る場合も、イメージ周波数の信号が妨害波として作用する度合いが相対的に弱くなるように局部発振信号の周波数を設定可能であり、最前段の局部発振信号源による局部発振信号の周波数が多少変動してイメージ周波数が放送ないし通信に用いられる周波数域に入り込むようなことが発生しても、イメージ妨害の程度が相対的に軽度のものに留まる。
【００９７】
また、このようにイメージ妨害の程度得を相対的に軽度のものに留めるべく機能するための最前段の局部発振信号源における局部発振周波数の変更は、イメージ周波数の現実の信号レベルを検出する等の複雑な処理を俟つことなく、選局操作部における選局結果次第で切り替えるといった簡易な手法によるものであるため、構成が複雑化するといった不都合を招来することもない。
【００９８】
以上説明した本発明は、局部発振信号に受信信号を混合して中間周波信号を生成するスーパーヘテロダイン方式による情報受信方法であって、前記局部発振信号の周波数に対応するイメージ周波数が送信電力の相対的に小さい局の送信電波の周波数帯域に属するように、選局結果に応じて、公開された放送局の送信周波数と送信電力とのデータを参照して、上側局部発振周波数と下側局部発振周波数とを切り替えることを特徴とする情報受信方法（図６、図７）としても観念される。
【００９９】
また、局部発振信号に受信信号を混合して中間周波信号を生成するスーパーヘテロダイン方式による情報受信方法であって、前記局部発振信号の周波数に対応するイメージ周波数が送信電力の相対的に小さい局の送信電波の周波数帯域に属するように、選局結果に応じて、公開された放送局の送信周波数と送信電力とのデータを参照して、前記局部発振信号の周波数を制御することを特徴とする情報受信方法（図８、図９）としても観念されるが、これらの方法も、既に詳述した情報受信装置に準じた技術思想として理解されるものであることは論を俟たないであろう。
【０１００】
何れの発明方法による場合も、イメージ周波数の信号が妨害波として作用する度合いが相対的に弱くなり、局部発振信号の周波数が多少変動してイメージ周波数が放送ないし通信に用いられる周波数域に入り込むようなことが発生しても、イメージ妨害の程度が相対的に軽度のものに留まり、受信品質が高水準に維持され得る。
【図面の簡単な説明】
【０１０１】
【図１】本発明の第１の実施の形態に係る情報受信装置の概略構成を示すブロック図である。
【図２】地上デジタル放送のチャンネルと周波数構成を示す図である。
【図３】地上デジタル放送の１３〜１５チャンネルのセグメント構成を示す図である。
【図４】本発明の第２の実施の形態に係る情報受信装置の概略構成を示すブロック図である。
【図５】本発明の第３の実施の形態に係る情報受信装置の概略構成を示すブロック図である。
【図６】本発明の第４の実施の形態を原理的に説明するための周波数アロケーションを表す図である。
【図７】本発明の第４の実施の形態に係る情報受信装置の概略構成を示すブロック図である。
【図８】本発明の第５の実施の形態を原理的に説明するための周波数アロケーションを表す図である。
【図９】本発明の第５の実施の形態に係る情報受信装置の概略構成を示すブロック図である。
【符号の説明】
【０１０２】
１０，２０，３０，４０，５０…アンテナ、１１，２１，３１，４１，５１…高周波増幅器、１２，２２，４２，５２…混合器、１３，２３，４３，５３…局部発振器、１４，２４，４４，５４…中間周波フィルタ、１５，２５，３８，４５，５５…復調部、１６，２６，３９，４６，５６…チャンネル選択操作部、２７，４７…上側局発・下側局発切り替え信号発生部、３２…第１混合器、３３…第１局部発振器、３４…第１中間周波フィルタ、３５…第２混合器、３６…第２局部発振器、３７…第２中間周波フィルタ、５７…局発周波数・ＩＦ周波数切り替え信号発生部。
【図１】
2008072739.tif 000003
【図２】
2008072739.tif 000004
【図３】
2008072739.tif 000005
【図４】
2008072739.tif 000006
【図５】
2008072739.tif 000007
【図６】
2008072739.tif 000008
【図７】
2008072739.tif 000009
【図８】
2008072739.tif 000010
【図９】
2008072739.tif 000011